(57)【特許請求の範囲】
【請求項１】
内容物を収容した容器本体の口部に装着され、天壁部を有する有頂筒状の装着キャップと、
前記装着キャップに上方付勢状態で下方移動可能に貫設されたステムを有するポンプと、
前記ステムの上端に装着されると共に吐出口が形成され、下方に向けて延設された筒体部を有する押下ヘッドと、を有する吐出器本体を備える吐出器であって、
前記筒体部の下端縁と前記天壁部との間に位置する中間部分には、上端縁が前記筒体部の下端縁に下側から近接または当接すると共に下端縁が前記天壁部上に位置するストッパ部材が装着され、
前記ストッパ部材が、径方向に開口する側方開口部を有し、上面視Ｃ字状に形成されると共に前記中間部分に着脱自在に取り付けられる本体筒部と、前記本体筒部から径方向外方に向けて突設された操作部と、を有し、
前記本体筒部における前記操作部との接続部分のうち外周面において前記操作部を周方向に挟む両側に位置する部分には、該本体筒部の軸方向に延在する溝部が形成されていることを特徴とする吐出器。
【請求項２】
前記本体筒部の両周端縁間の間隔が、径方向内方から外方に向かうにしたがって漸次大きくなることを特徴とする請求項１に記載の吐出器。
【発明の詳細な説明】
【技術分野】
【０００１】
本発明は、吐出器に関するものである。
【背景技術】
【０００２】
従来から、例えば販売前の流通、保管時または販売陳列時において他人により意図的にまたは不意に加えられた外力によって内容物が吐出されることを防止するために、ストッパ部材を備える吐出器が提案されている（例えば、特許文献１参照）。
この吐出器は、内容物を収容した容器本体の口部に装着され、天壁部を有する有頂筒状の装着キャップと、装着キャップに上方付勢状態で下方移動可能に貫設されたステムを有するポンプと、ステムの上端に装着されると共に吐出口が形成され、下方に向けて延設された筒体部を有する押下ヘッドと、を有する吐出器本体を備え、筒体部の下端縁と天壁部との間に位置する中間部分には、ストッパ部材が装着されている。
【先行技術文献】
【特許文献】
【０００３】
【特許文献１】特開２００６−２４０６３８号公報
【発明の概要】
【発明が解決しようとする課題】
【０００４】
しかしながら、このような吐出器では、例えば吐出器の製造段階や吐出器の使用段階におけるストッパ部材の着脱を容易にすることに対して改善の余地がある。
【０００５】
本発明は、前述の課題に鑑みてなされたもので、ストッパ部材を吐出器本体に容易に着脱させることができる吐出器を提供することを目的とする。
【課題を解決するための手段】
【０００６】
本発明は、上記のような課題を解決するために以下のような手段を採用した。すなわち、本発明の吐出器は、内容物を収容した容器本体の口部に装着され、天壁部を有する有頂筒状の装着キャップと、前記装着キャップに上方付勢状態で下方移動可能に貫設されたステムを有するポンプと、前記ステムの上端に装着されると共に吐出口が形成され、下方に向けて延設された筒体部を有する押下ヘッドと、を有する吐出器本体を備える吐出器であって、前記筒体部の下端縁と前記天壁部との間に位置する中間部分には、上端縁が前記筒体部の下端縁に下側から近接または当接すると共に下端縁が前記天壁部上に位置するストッパ部材が装着され、前記ストッパ部材が、径方向に開口する側方開口部を有し、上面視Ｃ字状に形成されると共に前記中間部分に着脱自在に取り付けられる本体筒部と、前記本体筒部から径方向外方に向けて突設された操作部と、を有し、前記本体筒部における前記操作部との接続部分のうち外周面において前記操作部を周方向に挟む両側に位置する部分には、該本体筒部の軸方向に延在する溝部が形成されていることを特徴とする。
【０００７】
この発明では、操作部を例えば摘んだ状態で本体筒部の両周端部を中間部分の外周面に摺接させながら、ストッパ部材を中間部分に対して径方向に接近、離間させると、本体筒部が、溝部を起点として側方開口部が周方向に拡縮するように、弾性変形しやすくなる。これにより、ストッパ部材を中間部分に対して容易に着脱させることが可能となる。
【０００８】
また、本発明の吐出器では、前記本体筒部の両周端縁間の間隔が、径方向内方から外方に向かうにしたがって漸次大きくてもよい。
この場合では、ストッパ部材を中間部分に装着する際、本体筒部の両周端部間に中間部分を引っ掛かりが少ない状態で導入できるので、ストッパ部材の装着がより容易になる。
【発明の効果】
【０００９】
この発明にかかる吐出器によれば、溝部を起点として側方開口部が周方向に拡縮するように本体筒部が弾性変形しやすくなるので、ストッパ部材を中間部分に対して容易に着脱させることが可能となる。
【図面の簡単な説明】
【００１０】
【図１】本発明の一実施形態における吐出器を示す軸方向断面図である。
【図２】図１のＡ−Ａ矢視断面図である。
【図３】図１のストッパ部材を示す上面図である。
【図４】図３のストッパ部材を示す軸方向断面図である。
【図５】図３のストッパ部材を示す側面図である。
【発明を実施するための形態】
【００１１】
以下、本発明における吐出器の一実施形態を、図面に基づいて説明する。なお、以下の説明に用いる各図面では、各部材を認識可能な大きさとするために縮尺を適宜変更している。
【００１２】
本実施形態における吐出器１は、図１及び図２に示すように、内容物を収容する有底筒状の容器本体２の口部３に装着される有頂筒状の装着キャップ４と、後述する円筒状のステム２１を有するポンプ５と、上記ステム２１の上方に装着される押下ヘッド６と、を備える吐出器本体７、並びに、押下ヘッド６の後述するヘッド筒部（筒体部）３３の下端縁と装着キャップ４の後述する天壁部１１との間に位置する後述する案内筒部（中間部分）１３に装着されるストッパ部材８、を備えている。
ここで、容器本体２、装着キャップ４及び上記ステム２１それぞれの中心軸は、共通軸上に位置している。以下、この共通軸を中心軸Ｏとし、中心軸Ｏに沿って押下ヘッド６側を上側、容器本体２側を下側と称し、中心軸Ｏに直交する方向を径方向、中心軸Ｏ回りの方向を周方向と称する。
【００１３】
装着キャップ４は、中央部に円形の開口部が形成された円板状の天壁部１１と、天壁部１１の外周縁から下方に向けて延設された円筒状の周壁部１２と、天壁部１１の内縁部から上方に向けて延設された案内筒部１３と、を有する。
周壁部１２の内周面には、容器本体２の口部３に形成された雄ネジ部と螺合する雌ネジ部が形成されている。
【００１４】
ポンプ５は、装着キャップ４に上方付勢状態で下方移動可能に貫設されたステム２１と、内部にステム２１の下端部が上下動自在に配設された円筒状のシリンダ２２と、シリンダ２２の内部に上下摺動自在に配設されたピストン部材（図示略）と、ステム２１を上方付勢する付勢部材（図示略）と、を有する。
ステム２１の上部は、シリンダ２２の上端から上方に突出し、かつ装着キャップ４の案内筒部１３内に配設されている。また、ステム２１の上端部は、案内筒部１３の上端から上方に突出している。
シリンダ２２の上端には、全周にわたってフランジ部２２Ａが径方向外方に向けて突設されており、このフランジ部２２Ａは、装着キャップ４の天壁部１１の下面と容器本体２の口部３の開口端縁上にあるパッキン２３とによって上下方向で挟み込まれている。シリンダ２２の下端部内には、パイプ２４の上端部が嵌合されており、このパイプ２４の下端開口部が容器本体２内の底部に位置している。
【００１５】
押下ヘッド６は、頂壁部３１と、頂壁部３１の中央部から下方に向けて延設された円筒状の装着筒部３２と、頂壁部３１の外周縁から下方に向けて延設されたヘッド筒部３３と、ヘッド筒部３３から径方向外方に向けて突設された吐出筒部３４と、を有する。
装着筒部３２内には、ステム２１の上端部が嵌合されており、装着筒部３２内とステム２１内とは、連通している。吐出筒部３４の先端には、容器本体２内の内容物を吐出する吐出口３４Ａが形成されており、吐出筒部３４の内部と装着筒部３２の内部とは、連通している。
【００１６】
ヘッド筒部３３は、装着筒部３２を径方向外側から囲繞しており、その下端縁は、装着キャップ４の天壁部１１と上下方向で向かい合っている。また、ヘッド筒部３３の内径は、案内筒部１３の外径よりも大きくなっており、ヘッド筒部３３の下端部は、案内筒部１３の上端部を径方向外側から囲繞している。そのため、案内筒部１３は、押下ヘッド６の上下動に伴ってヘッド筒部３３の内側に下側から進退移動する。
【００１７】
ストッパ部材８は、案内筒部１３に着脱自在に取り付けられる本体筒部４１と、本体筒部４１から径方向外方に突設された操作部４２と、を有しており、一体的に形成されている。
本体筒部４１は、径方向に開口する側方開口部４１Ａが形成された平面視Ｃ字状の円筒状をなしている。本体筒部４１の上端は、ヘッド筒部３３の下端縁にヘッド筒部３３の下側から近接または当接し、本体筒部４１の下端は、天壁部１１上に位置している。そのため、本体筒部４１は、押下ヘッド６の下方への移動を規制している。
また、本体筒部４１のうち中心軸Ｏを径方向で挟んで上記開口部分とは反対側の部分（以下、接続部分と称する）には、操作部４２が配設されており、この接続部分の外周面において操作部４２を周方向に挟む両側に位置する部分には、本体筒部４１の上下方向の全長にわたって上下方向に延在する溝部４３が形成されている。
【００１８】
本体筒部４１の両周端縁間の間隔Ｘは、案内筒部１３の外径より小さくなっていると共に、図３に示すように、径方向内方から外方に向かうにしたがって漸次大きくなっている。また、本体筒部４１の両周端縁には、径方向外方に向けて突出する突出部４１Ｂが上下方向の全長にわたって突設されている。さらに、本体筒部４１の内周面には、上下方向に延在するリブ部４４が周方向で等間隔に配設されている。
操作部４２の径方向外側の端部には、ストッパ部材８の操作時に指などを掛ける指掛部４５が周方向両側に向けて突設されている。
【００１９】
次に、以上のような構成の吐出器１の使用方法について説明する。
まず、例えば吐出器１の製造時などにおいてストッパ部材８を案内筒部１３に取り付ける場合には、本体筒部４１の両周端縁を案内筒部１３の外周面に当接させた状態で、操作部４２を摘みながら操作部４２を径方向内方に押し込む。このとき、まず本体筒部４１の両周端縁に形成された突出部４１Ｂが案内筒部１３に当接する。そして、この状態で本体筒部４１を径方向内方に押し込むと、本体筒部４１の両周端縁間の間隔Ｘが径方向内方から外方に向かうにしたがって漸次大きくなっているので、本体筒部４１は、側方開口部４１Ａが周方向に拡大するように弾性変形しながら、両周端部間に案内筒部１３を引っ掛かりが少ない状態で導入する。
【００２０】
そして、本体筒部４１を径方向内方にさらに押し込むと、本体筒部４１の両周端部は、側方開口部４１Ａをさらに拡大させるように弾性変形しながら、案内筒部１３の外周面に摺接しつつ外周面に沿って案内される。このとき、本体筒部４１のうち上記接続部分の外周面において操作部４２を周方向に挟む両側に位置する部分に溝部４３が形成されているので、本体筒部４１は、これら溝部４３を起点として側方開口部４１Ａを拡大させるように弾性変形しやすくなっている。
【００２１】
その後、本体筒部４１を径方向内方にさらに押し込むと、本体筒部４１の両周端部は、側方開口部４１Ａを縮小させるように復元変形しながら、案内筒部１３の外周面に摺接しつつ外周面に沿って案内される。このとき、本体筒部４１は、上述と同様に、これら溝部４３を起点として側方開口部４１Ａを縮小させるように復元変形しやすくなっている。
以上のようにして、ストッパ部材８を案内筒部１３に取り付ける。
このようにストッパ部材８が案内筒部１３に取り付けられた状態では、本体筒部４１の上端縁がヘッド筒部３３の下端縁に近接または当接し、本体筒部４１の下端縁が天壁部１１上に位置しているので、押下ヘッド６の下方への移動が規制されている。
【００２２】
続いて、例えば吐出器１の使用時などにおいてストッパ部材８を案内筒部１３から取り外す場合には、例えば指などを指掛部４５に掛けた状態で操作部４２を径方向外方に向けて引っ張る。操作部４２を引っ張ると、本体筒部４１の両周端部は、側方開口部４１Ａを拡大させるように溝部４３を起点として弾性変形しながら、案内筒部１３の外周面に摺接しつつ外周面に沿って案内される。そして、本体筒部４１を径方向外方にさらに引っ張ると、本体筒部４１の両周端部は、側方開口部４１Ａを縮小させるように溝部４３を起点として復元変形しながら、案内筒部１３の外周面に摺接しつつ外周面に沿って案内される。
以上のようにして、ストッパ部材８を案内筒部１３から取り外す。
【００２３】
このようにストッパ部材８を取り外した状態では、押下ヘッド６を押し下げると、ステム２１が下方に向けて移動させられる。そして、ステム２１の移動に追従して上記ピストン部材がシリンダ２２の内周面に摺接しつつ下方に移動する。これにより、シリンダ２２内の内容物が圧縮され、この圧縮されたシリンダ２２内の内容物は、ステム２１内に進入してステム２１内を上方に向けて移動する。
その後、押下ヘッド６の押し下げを解除すると、上記ピストン部材が上記付勢部材の上方付勢力によってシリンダ２２の内周面に摺接しつつ上方に向けて復元移動する。これにより、シリンダ２２内が減圧され、容器本体２内に収容されている内容物がパイプ２４を通じてシリンダ２２内に吸い上げられる。
【００２４】
以上のような構成の吐出器１によれば、溝部４３を起点として側方開口部４１Ａが周方向に拡縮するように本体筒部４１が弾性変形しやすくなるので、ストッパ部材８を案内筒部１３に対して容易に着脱させることが可能となる。
また、ストッパ部材８を案内筒部１３に装着する際、本体筒部４１の両周端部間に案内筒部１３を引っ掛かりが少ない状態で導入できるので、ストッパ部材８の装着がより容易になる。
【００２５】
なお、本発明は上記実施形態に限定されるものではなく、本発明の趣旨を逸脱しない範囲において種々の変更を加えることができる。
例えば、ストッパ部材は、案内筒部に着脱自在に装着されているが、中間部分をステムとしてステムに着脱自在に装着されてもよい。
溝部は、本体筒部のうち上記接続部分の外周面において操作部を周方向に挟む両側に位置する部分に形成されているが、少なくとも一方に形成されていればよい。
本体筒部の両周端縁間の間隔は、径方向内方から外方に向かうにしたがって漸次大きくなっていなくてもよい。
溝部は、本体筒部の上下方向全長にわたって連続的に形成されているが、間欠的に形成してもよく、接続部分の内周面における操作部を周方向に挟む両側に位置する部分の少なくとも一方に形成されていてもよい。
さらに、前記溝部は、接続部分の外周面および内周面の両方に形成されていてもよい。
操作部は、本体筒部から径方向外方に向けて突設されていれば、指掛部を有さない構成であってもよい。
【産業上の利用可能性】
【００２６】
この発明によれば、ストッパ部材を吐出器本体に容易に着脱させることができる吐出器に関して、産業上の利用可能性が認められる。
【符号の説明】
【００２７】
１  吐出器、２  容器本体、３  口部、４  装着キャップ、５  ポンプ、６  押下ヘッド、７  吐出器本体、８  ストッパ部材、１１  天壁部、１３  案内筒部（中間部分）、２１  ステム、３３  ヘッド筒部（筒体部）、３４Ａ  吐出口、４１  本体筒部、４１Ａ  側方開口部、４２  操作部、４３  溝部
【図１】
0005897818.tif 000002
【図２】
0005897818.tif 000003
【図３】
0005897818.tif 000004
【図４】
0005897818.tif 000005
【図５】
0005897818.tif 000006